(57)【要約】      （修正有）【課題】ランプシェードの回転構造を提供する。【解決手段】主に一つの支柱アーム１、一つの設置部２、一つの発光部及び設置部と接続する一つのランプシェード４で構成する。該支柱アームの一端は設置部と接続し、別端は設置したい部品と接続し、該ランプシェードは発光部の外側を包み、該発光部は設置部に設置する固定台３１及び一つのランプを含み、該ランプは固定台の片側に設置する。及び、該ランプシェードは異なる光照射パターンを調整する複数の導光段で構成し、設置部に相対して回転するため、ユーザーは異なる導光段を調整してランプの照射方向と合わせることで、対応する光照射パターンを得ることができる。【選択図】図１
0003162789.tif 000002
【実用新案登録請求の範囲】
【請求項１】
支柱アーム、設置部、発光部及びランプシェードを含み、
該支柱アームの一端は設置部と接続し、別端は設置したい部品と接続し、該ランプシェードは発光部の外側を包み、該発光部は設置部に設置する固定台及び一つのランプを含み、該ランプは固定台の片側に設置し、
該ランプシェードは異なる光照射パターンを調整する複数の導光段で構成し、設置部と接続し、設置部に相対して回転するため、ユーザーは異なる導光段を調整してランプの照射方向と対応することで、対応する光照射パターンを得ることを特徴とするランプシェードの回転構造。
【請求項２】
前記導光段に複数の凸アーチ或いは複数の凹アーチを設置し、或いは導光段の内部に光学材料を充填し、或いは前記の組合せにより、各導光段が具有する曲率数値を形成し、且つ導光段内に充填する光学材料を介し、光の照射する光度或いは色温度や色収差の数値、或いは前記の如何なる組合せを調整することを特徴とする請求項１記載のランプシェードの回転構造。
【請求項３】
光コントロールシステムを含み、該光システム５に含まれるのは処理ユニット５１及び感知ユニット５２、コントロール部品５３であり、
該処理ユニット５１は設置部２に設置し、
該感知ユニット５２は、ランプシェード４が回転した情報を処理ユニット５１に送り、それによって発光部３が発光のパターンを変え、
該コントロール部品５３は処理ユニット５１と接続し、発光部３の発光パターン２を調整できることを特徴とする請求項１記載のランプシェードの回転構造。
【請求項４】
支柱アーム、設置部、発光部及びランプシェードを含み、
該支柱アームの一端は設置部と接続し、別端は設置したい部品と接続し、該ランプシェードは発光部の外側を包み、該発光部に含まれるのはランプシェードと連動して組み合わせる固定台及び、固定台の外側に設置する複数のランプであり、
該ランプシェードは設置部と接続し、複数の異なる光照射パターンに調整できる導光段で構成し、各導光段に対応するランプのオンオフをコントロールするスイッチ部品を導光段に設置し、ランプシェードが設置部に相対して回転すると、固定台もランプシェードと共に回転するため、ユーザーは必要とする導光段を調整し、照射したい対象合わせ、該導光段の位置と対応するランプより、対応する光照射パターンを照射することを特徴とするランプシェードの回転構造。
【請求項５】
前記導光段に複数の凸アーチ或いは複数の凹アーチを設置し、或いは導光段の内部に光学材料を充填し、或いは前記の組合せにより、各導光段が具有する曲率数値を形成し、且つ導光段内に充填する光学材料を介し、光の照射する光度或いは色温度や色収差の数値、或いは前記の如何なる組合せを調整することを特徴とする請求項４記載のランプシェードの回転構造。
【請求項６】
光コントロールシステムを含み、該光システム５に含まれるのは処理ユニット５１及び感知ユニット５２、コントロール部品５３であり、
該処理ユニット５１は設置部２に設置し、
該感知ユニット５２は、ランプシェード４が回転した情報を処理ユニット５１に送り、それによって発光部３が発光のパターンを変え、
該コントロール部品５３は処理ユニット５１と接続し、発光部３の発光パターン２を調整できることを特徴とする請求項４記載のランプシェードの回転構造。
【考案の詳細な説明】
【技術分野】
【０００１】
本考案はランプシェードの回転構造に関し、特に簡単な操作のみで光の照射パターンを調整できるランプシェードのデザインに関する。
【背景技術】
【０００２】
公知の特許申請案第９７２１８３６０号の『調節可能タイプのランプ構造』に含まれるのは一つの回転台及び、回転台と可動的に接続する固定台及び、回転台と固定台の間に設置する回転台の回転方向をコントロールする位置限定部品である。回転台を蛍光灯の両端に設置し、且つ発光ユニットの両端と接続する。それにより、回転台及び固定台により、ユーザーは蛍光灯及び発光ユニットを必要な位置に回転することで、光照射方向を調整できる効果を得る。
【０００３】
従来技術のランプシェード構造は、回転台及び固定台の設置により、発光ユニットを回転して光の照射効果を調整することができるが、下記２点のデメリットがある。
【０００４】
１、当該従来技術のランプシェード構造の蛍光灯は特殊なデザインではないため、発光ユニットの回転は、ただ光の照射方向を変えるのみであり、光の照射パターンが全く変わらないため、ユーザーの照明のニーズに応じて、適切な調整をすることができない。
【０００５】
２、通常ユーザーが電気スタンドタイプのランプを使用する際、該ランプシェードの位置はランプの上方に位置するため、ランプの照明方向が下向きになり、必要とする照明パターンは十分且つ適切な光を下向きに対象物に照射し、ほかの方向に照射する必要がない。当該従来技術のランプシェードの調整方法は、回転台の端部で設定し、発光ユニットを正確に照射位置に調整する。ユーザーは適切な照明効果を得るのに、簡単にランプシェードを調整することができず、反復して調整し、発光ユニットを該照明の必要とする位置に回転することになる。例えば、照射する範囲が大きすぎる或いは過量である場合、発光ユニットを後ろ方向に回転し、対象物に照射する光を少し減らす。しかし、実際の照射範囲は固定されているため、発光ユニットを後ろ向きに調整すると、逆に人体に光を照射することになり、他人の迷惑にもなる。または、物品が該光を反射するなど、目に刺激を与えることになるなどを鑑みて、更なる改善が必要であった。
【先行技術文献】
【特許文献】
【０００６】
【特許文献１】台湾特許申請案第９７２１８３６０号
【考案の概要】
【考案が解決しようとする課題】
【０００７】
前記公知構造のランプシェードが照明のニーズに応じて、光の照射パターンを調整できず、操作方法が不便であるなどの欠点を解決するため、本考案はランプシェードの回転構造を提供することを主な課題とする。
【課題を解決するための手段】
【０００８】
前記課題を解決するために、本考案はランプシェードの回転構造を提供する。本考案に含まれるのは一つの支柱アーム、一つの設置部及び一つの発光部、設置部と接続する一つのランプシェードを含む。
【０００９】
該支柱アームの一端は設置部と接続し、別端は設置したい部品と接続し、該発光部は設置部に設置する固定台及び一つのランプを含み、該ランプを固定台の片側に設置することで、ランプが発する光は既定の方向に照射する。
【００１０】
該ランプシェードは異なる光照射パターンを調整する複数の導光段で構成し、発光部の外側を包む。該ランプシェードはパイプ状であり、該導光段は長い棒状であり、導光段を複数接続してランプシェードのパイプ状外観を形成する。
【００１１】
前記導光段に複数の凸アーチ及び複数の凹アーチを設置し、或いは導光段の内部に光学材料を充填し、或いは前記の組合せにより、各導光段が具有する曲率数値を形成する。
【００１２】
ランプシェード４が設置部に相対して回転する際、発光部３の光は既定方向に照射するため、異なる導光段４１がランプ３２の光照射方向に合わせると、光が導光段４１のデザインする曲率数値の影響を受け、該曲率数値に対応する光の照射パターンが生じる。ユーザーはランプシェードを操作するだけで、必要とする光照射パターンを得ることができる。該導光段に光学材料を充填しているため、光度或いは色温度や色収差の数値を調整することができる。或いは前記の如何なる組合せにより、光の照射パターンと調整効果を更に多様化にすることができる。
【００１３】
本考案は光コントロールシステムを含み、該光システム５に含まれるのは処理ユニット５１及び感知ユニット５２、コントロール部品５３である。該処理ユニット５１は設置部２に設置し、該感知ユニット５２は、ランプシェード４が回転した情報を処理ユニット５１に送り、それによって発光部３が発光のパターンを変える。該コントロール部品５３は処理ユニット５１と接続し、発光部３の発光パターン２を調整できるため、ユーザーはランプシェード及びコントロールユニットを操作するだけで、直接発光部の発光パターンを変えることができる。
【００１４】
本考案の別の実施例では、該発光部３の固定台３１はランプシェード４と連動して組合せて、固定台３１の外側に複数のランプ３２を設置する。各ランプ３２の光照射方向にそれぞれ対応する導光段を具有する。ランプシェード４が設置部２に相対して回転する際、発光部３はランプシェード４と共に回転するため、各ランプ３２が照射する光は、対応する位置にある導光段４１を経て、該導光段の曲率数値に対応する光パターンを照射する。
【００１５】
各導光段にランプのオンオフをコントロールするスイッチ部品を設置し、ユーザーは該スイッチ部品を通じて、各導光段に対応するランプの状態を調整することができる。
【考案の効果】
【００１６】
本考案は支柱アーム、設置部、発光部及び、導光段で形成するランプシェードが構成するランプシェードの回転構造であり、ランプシェードを回転させるだけで、簡単に必要とする光照射パターンを得ることができ、光の照射パターンと調整効果を更に多様化にすることができる。
【図面の簡単な説明】
【００１７】
【図１】本考案における第一実施例の立体略図である。
【図２】本考案における第一実施例の操作方法略図である。
【図３】本考案における第一実施例の操作方法略図である。
【図４】本考案における光コントロールシステムの連結関係図である。
【図５】本考案における第二実施例の立体略図である。
【図６】本考案における第二実施例の操作方法略図である。
【図７】本考案における第二実施例の操作方法略図である。
【図８】本考案における第三実施例の立体略図である。
【図９】本考案における第三実施例の操作方法略図である。
【図１０】本考案における第三実施例の操作方法略図である。
【考案を実施するための形態】
【００１８】
本考案はランプシェードの回転構造である。図１から図４に示すのは、本考案の第一実施例であり、それに含まれるのは一つの支柱アーム１、一つの設置部２、一つの発光部３及び設置部と接続する一つのランプシェード４である。
【００１９】
図１及び図２に示すように、本実施例の支柱アーム１の一端をベース１１と結合し、別端は該設置部２と設置する。発光部３及びランプシェード４を設置部２に設置し(本実施例の設置部２は円盤状の構造物であり、該ランプシェード４は設置部２と結合する)、全体構造は卓上スタンドの形状を呈し、該支柱アーム１の一端は設置部２と接続し、別端はその他の組立予定の部品と結合して、設置部２が寄りかかられる構造にする。発光部３及びランプシェード４を設置部２に設置し、支柱アーム１より発光部３が発光するための外部或いは内部の電源を提供する。該実施形態は本考案が示す卓上ランプの外形に限られず、該構造内容もまた本考案の着目点ではない。本考案の目的は、ランプシェード４、発光部３及び設置部２の組合せを使って、ユーザーがランプシェード４を調整するだけで、光の照射パターンを変えることができる。よって、支柱アーム１の構造内容と設置形態、電気供給方法などは、本考案の叙述する主な技術特徴ではないため、言及しないこととする。
【００２０】
該発光部３に含まれるのは設置部２に設置する固定台３１及びランプ３２を含み、該ランプ３２を固定台３１の下方に設置する。図１及び図２に示すように、該固定台３１は長い棒状のものであり、片側は設置部２と接続し、別側は設置部２と反対方向に延伸した状態を呈す。該ランプ３２は固定台３１の下方に設置するため、ランプ３２が発する光は固定台３１の下方に向けて照射する。
【００２１】
該ランプシェード４の片側は設置部２と接続し、別端は固定台３１と同じく設置部２と反対方向に延伸した状態を呈す。該ランプシェード４は複数の異なる光照射パターンを調整する導光段４１で構成し、発光部３の外側を包む。図１に示すように、該ランプシェード４はパイプ状であり、該導光段４１は長い棒状のものである。該導光段４１は数個を接続してランプシェード４のパイプ状の外形に形成する(本実施例の示すランプシェード４は丸いパイプ状であり、該導光段４１は３つあり、該３つの導光段４１を接続してパイプ状のランプシェード４の形状に形成する)。
【００２２】
該導光段４１に複数の凸アーチ４１１或いは複数の凹アーチ４１２を設置し、或いは導光段４１内に光学材料４１３を充填する。(該光学材料４１３とは関連業界にて一般的に知られる光線を散乱する機能を具有する材料であり、プラスティック或いはポリエステルなどの材料の微粒子などが挙げられる。本考案が使用する該光学材料４１３によって、導光段４１が曲率数値をデザインすることができるため、ランプシェード４が回転する際、導光段４１をランプ３２の位置と対応することにより、導光段４１の曲率数値の光照射パターンを得ることができる)。或いは前記の組合せにより、各導光段４１が具有する曲率数値を形成する(本実施例の図２に示すのは導光段４１の外側に凸アーチ４１１を設置し、内側に光学材料４１３を充填する)。
【産業上の利用可能性】
【００２３】
図２及び図３に示すように、ランプシェード４が設置部２に相対して回転する際、発光部３の光照射方向は固定して下向きであるため、異なる導光段４１がランプ３２の光照射方向に合わせると、光が導光段４１のデザインする曲率数値の影響を受け、該曲率数値に対応する光照射パターンが生じる。ユーザーはランプシェード４を操作するだけで、必要とする光照射パターンを得ることができる。各導光段４１は凸アーチ４１１或いは凹アーチ４１２、或いは光学材料４１３、或いは前記如何なる組合せにより、それぞれ異なる曲率数値を具有するため、様々な照明効果が生まれるほか、導光段４１内に充填する光学材料４１３は光が照射する際の光度或いは色温度や色収差の数値に影響を与える。例えば、光の照射がやや拡散し、一部のエリアに集中しない場合、光度が比較的低くなり、ユーザーが使用する際に、眩光現象が生じにくくなる。色温度及び色収差の数値もまた光学材料４１３の影響を受けるため、照明表現がやや寒く或いは温かくなり、またはユーザーの求めるパターンに調整できる。当然ながら、導光段４１は光度や色温度及び色収差の数値を任意に組み合わせてデザインすることで、効果を調整することができる。（デザイン方法とは材料のセレクトを指し、本考案の目的は、該光学材料４１３を使って、光の光度、色温度及び色収差の数値を調整する。異なる光学材料を単独或いは組み合わせて使用することによって、光度、色温度や色収差の数値も、それぞれ異なる結果が得られる。）光がランプシェード４を通じて照射すると、光度、色温度に色収差の数値は単独で、或いは任意な組合せで表現することができ、多元的に光の照射効果を調整することができる。
【００２４】
図４に示すのは本考案の光コントロールシステム５である。該光システム５に含まれるのは処理ユニット５１及び感知ユニット５２、コントロール部品５３である。該処理ユニット５１は設置部２に設置する。該感知ユニット５２は、ランプシェード４が回転した情報を処理ユニット５１に送り、それによって発光部３が発光のパターンを変える。該コントロール部品５３は処理ユニット５１と接続し、発光部３の発光パターン２を調整することができる。図１に示すように、該コントロール部品５３とは設置部２に設置するツマミ状の部品である。本考案における発光部３の発光パターンは２種類ある。一つはユーザーがランプシェード４を回転し、感知ユニット５２がランプシェード４の回転位置を感知し、情報を処理ユニット５１に送ることで、発光部３は光度、色温度や色収差の数値を変えるなど、対応する光パターンを発するため、ランプシェード４は回転しながらも、発光部３の光照射パターンを調整する効果を具有する。もう一つはユーザーが直接設置部２にあるコントロール部品５３を操作し、コントロール部品５３で発光部３の発光パターンを調整する。或いはユーザーは前記の使用方法を全て行い、ランプシェード４を回転した後、コントロール部品５３を操作して光の照射パターンを微調整し、ユーザーのニーズに基づき照明環境を変えることができる。
【００２５】
図５から図１０に示すのは、本考案のランプシェード回転構造の第二、第三実施例である。メイン部品は第一実施例と同じであるため、異なる構造のみ叙述することにする。
【００２６】
図５、図６及び図７は第二実施例である。該ランプシェード４の断面は六辺形であり、外形はパイプ状を呈し、（本実施例の設置部２は支柱アーム１の一端であり、該ランプシェード４は設置部２と接続する。ランプシェード４は支柱アーム１の一端に相対して回転し、且つ発光部３は設置部２と固設する。）六つの導光段４１で六辺形のパイプ状ランプシェード４を形成する。各導光段４１は既定の曲率数値を具有し、或いは光度、色温度や色収差の数値を調整する光学材料４１３を充填する。図５に示すように、一部の導光段４１内に光学材料４１３を充填し、一部の導光段４１に凸アーチ４１１を、一部の導光段４１に凹アーチ４１２を設ける。一部の導光段４１は前述した技術特徴の組合せであり、調整可能の多様化な光照射パターンの効果がある。
【００２７】
図８、図９、図１０に示すのは第三実施例である。該発光部３の固定台３１はランプシェード４と連動して組合せ、固定台３１の外側に複数のランプ３２を設置する。図７に示すように、該固定台３１の断面は三角形であり、各辺ともにランプ３２を設置する。ランプシェード４の断面も同じく三角形であり、三つの導光段４１を具有し、各ランプ３２の光照射方向にそれぞれ対応する。ランプシェード４が設置部２に相対して回転する際、発光部３はランプシェード４と共に回転するため、各ランプ３２が照射する光は、対応する位置にある導光段４１を経て、該導光段の曲率数値に対応する光パターンを照射する。或いは導光段４１内に充填する光学材料４１３によって生じる光度や色温度と色収差の数値に対応して調整する。
【００２８】
また、各導光段４１に対応するランプ３２をコントロールするスイッチ部品４２を導光段４１に設置し、ユーザーが該実施例を操作する際、一つの導光段４１にあるスイッチ部品４２を操作し、該導光段４１のランプ３２の光を付け、その他のランプ３２を消す。この時、簡単にランプシェード４の回転を操作することができ、光が導光段４１の曲率数値に対応して照射し、或いは導光段４１を経て光度と色温度や色収差の数値を調整して、光を照射したい対象に照射する。
【符号の説明】
【００２９】
１、支柱アーム
１１、ベース
２、設置部
３、発光部
３１、固定台
３２、ランプ
４、ランプシェード
４１、導光部
４１１、凸アーチ
４１２、凹アーチ
４１３、光学材料
４３、スイッチ
５、光コントロールシステム
５１、処理ユニット
５２、感知ユニット
５３、コントロール部品
【図１】
0003162789.tif 000003
【図２】
0003162789.tif 000004
【図３】
0003162789.tif 000005
【図４】
0003162789.tif 000006
【図５】
0003162789.tif 000007
【図６】
0003162789.tif 000008
【図７】
0003162789.tif 000009
【図８】
0003162789.tif 000010
【図９】
0003162789.tif 000011
【図１０】
0003162789.tif 000012